(57)【要約】【課題】背あてシートをリクライニングさせたときに、着座者の背中が背あてシート表面とすれることを低減できるリクライニング自在な椅子の背あてシートを提供する。【解決手段】背もたれ部５の背もたれフレーム１１に取付けられる背あてシート１２を、所定の伸縮性を有する樹脂材で形成し、かつ少なくとも入浴者の背中の中央近傍が接する中央部に大口径開口穴１２ｇを形成したことにより、背もたれ部５をリクライニングさせるときにおいて、シャワー入浴者の背中の引っ張られを大口径開口穴１２ｇの変形によって低減できるので、複雑な機構を要することなく着座者の背中が背あてシート１２表面とすれることが低減される。【選択図】      図１
2005000558.tif 000002
【特許請求の範囲】
【請求項１】
着座者が着座する着座部の後部に設置され、着座者がもたれる背もたれ部の、前記着座部付近にリクライニングのための回動中心軸を有する背もたれフレームに取付けられる、リクライニング自在な椅子の背あてシートであって、
前記背あてシートは、少なくとも前記背あてシートの表面における前記回動中心軸に垂直な方向において所定の伸縮性を有する材質で形成されており、少なくとも着座者の背中の中央近傍が接する中央部に開口穴を有している、
ことを特徴とするリクライニング自在な椅子の背あてシート。
【請求項２】
前記開口穴は、前記回動中心軸に垂直な方向における長さよりも、前記回動中心軸に平行な方向における長さの方が長い形状である、
ことを特徴とする請求項１に記載のリクライニング自在な椅子の背あてシート。
【請求項３】
前記リクライニング自在な椅子は、シャワー入浴装置用車椅子である、
ことを特徴とする請求項１又は２に記載のリクライニング自在な椅子の背あてシート。
【発明の詳細な説明】
【０００１】
【発明の属する技術分野】
本発明はリクライニング自在な椅子の背あてシートに関する。
【０００２】
【従来の技術】
従来より着座部に着座者が着座した状態で背もたれ部を倒すことが可能な、リクライニング自在な椅子が存在する。例えば、高齢者や身体障害者等のシャワー入浴者（要介護者）をシャワー入浴装置で手軽にシャワー入浴させるときには、リクライニング自在なシャワー入浴装置用車椅子を用い、図２に示すように、このリクライニング自在なシャワー入浴装置用車椅子３０にシャワー入浴者３１を着座させた状態でシャワー入浴装置３２内に収容するようにしている。
【０００３】
この種の車椅子には、要介護者であるシャワー入浴者を車椅子に乗せて移動させるときやシャワー入浴装置内等でシャワー入浴者の姿勢を楽にするために、図図２、図３に示すように、このシャワー入浴装置用車椅子３０には、リクライニング自在な背あて部２０を有している。この背あて部２０は、金属製の背あてフレーム２１にシャワー入浴者３１の背中が接する背あてシート２２が取付けられている。また、この背あて部２０の背あてフレーム２１は、着座部２３の後部に設けた回動中心軸２６によって回動自在に支持されており、背あてフレーム２１と脚部２４の後部間に設けたダンパー部材２５によってスムーズにかつ容易にリクライニングさせることができる。
【０００４】
このようなシャワー入浴装置用車椅子３０では、シャワー入浴者が着座部２３に着座し背中を背あてシート２２にもたれた状態で、背あて部２０を後方にリクライニングさせたときに、回動中心軸２６とシャワー入浴者の腰との位置のずれから、後方へのリクライニングに応じてシャワー入浴者の背中が数センチ上方に引っ張られることになり、シャワー入浴者に不快感を与えることとなっていた。
【０００５】
更に、上記のような従来のシャワー入浴装置用車椅子３０では、シャワー入浴者は裸で着座するので、シャワー入浴者と背あて部２０との間に服などの緩衝物がないために背中の皮膚が直接引っ張られて背あてシート２２表面とすれ、強い不快感を与えることとなる。
【０００６】
このような問題を解消するための一例として、例えば特許文献１に記載の車椅子では、背もたれのフレームをリクライニングに連動してスライドさせる機構を設けている。
【０００７】
【特許文献１】
特開２００２−３０１１１７号公報
【０００８】
【発明が解決しようとする課題】
しかしながら、特許文献１に記載のような車椅子では、複雑なリクライニング機構を必要とし、コストもかかるといった問題があった。
【０００９】
そこで本発明は、背あて部をリクライニングさせたときに、複雑なリクライニング機構を要することなく着座者の背中が背あてシート表面とすれることを低減させることができるリクライニング自在な椅子の背あてシートを提供することを目的とする。
【００１０】
【課題を解決するための手段】
上記目的を達成するために本発明は、着座者が着座する着座部の後部に設置され、着座者がもたれる背もたれ部の、前記着座部付近にリクライニングのための回動中心軸を有する背もたれフレームに取付けられるリクライニング自在な椅子の背あてシートであって、前記背あてシートは、少なくとも前記背あてシートの表面における前記回動中心軸に垂直な方向において所定の伸縮性を有する材質で形成されており、少なくとも着座者の背中の中央近傍が接する中央部に開口穴を有していることを特徴としている。
【００１１】
なお、前記開口穴は、前記回動中心軸に垂直な方向における長さよりも、前記回動中心軸に平行な方向における長さの方が長い形状であればさらに良い。
【００１２】
また、前記リクライニング自在な椅子がシャワー入浴装置用車椅子である場合にはより効果的である。
【００１３】
【発明の実施の形態】
以下、本発明を図示の実施の形態に基づいて説明する。本実施の形態では、本発明に係るリクライニング自在な椅子の背あてシートを、シャワー入浴装置用車椅子の背あてシートに適用した例である。図１は、本発明の実施の形態に係る背あてシートを備えたシャワー入浴装置用車椅子を示す概略斜視図である。
【００１４】
このシャワー入浴装置用車椅子１は、脚部２、着座部３、足置き部４、背あて部５とで構成されている。脚部２の四隅には、それぞれ回転自在な移動用車６が設けられている。シャワー入浴者（要介護者）が着座する着座部３の着座面には、クッション性のよい厚みのある着座シート７が取付けられている。足置き部４には、シャワー入浴者の足をのせる一対の足のせ板８、９と、足を固定する足固定ベルト１０を有している。
【００１５】
背あて部５には、金属製の逆Ｕ字状の背もたれフレーム１１に取付けられた背あてシート１２と、シャワー入浴者の胸部を固定する胸部固定ベルト１３と、シャワー入浴者の頭部を保持する弾力性のある頭部保持部材１４を有しており、背あて部５の両側面には、回転自在な一対の肘掛け（アームレスト）１５、１６が取付けられている（本発明の特徴である背あてシート１２の詳細については後述する）。肘掛け１５、１６の先端には、それぞれ把手部１５ａ、１６ａが一体に形成されている。
【００１６】
背あて部５は、着座部３の後部に設けた回動中心軸１９に回動自在に取付けられており、脚部２の後部と背あてフレーム１１の背面フレーム１１ａ間に取付けたガスを封入したダンパー部材１７の操作レバー１７ａを操作することよって、後方にスムーズにかつ容易にリクライニングさせることができる。操作レバー１７ａは、背あてフレーム１１の背面フレーム１１ｂに取付けられている。また、背もたれ部５は一対のリンク機構１８を介して足置き部４に連結されており、背もたれ部５のリクライニングに応じて足置き部４が前方に回動移動する。
【００１７】
次に、本実施の形態に係るリクライニング自在な椅子であるシャワー入浴装置用車椅子１の背あてシート１２の詳細について説明する。
【００１８】
背もたれ部５の背あてフレーム１１に取付けた背あてシート１２は、ある程度の伸縮性を有し、更に、水はけが良く、吸水しない材質の樹脂材で形成されており、シャワー入浴者の背中の上部と下部が接する面には、背もたれ部５の幅方向に細長い複数の開口穴１２ａ、１２ｂ、１２ｃ、１２ｄ、１２ｅ、１２ｆが形成されている。また、背あてシート１２のシャワー入浴者の背中の中央付近が接する面には、前記開口穴１２ａ〜１２ｆよりも大きい長方形状の大口径開口穴１２ｇが形成されている。大口径開口穴１２ｇは、背あてシート１２の幅方向（回動中心軸１９と平行方向）に長い長方形状である。
【００１９】
そして、シャワー入浴時において、入浴補助者（介護者）はシャワー入浴者を着座部２３に着座させ、シャワー入浴者の背中を背もたれ部５の背あてシート１２にもたらせて、胸部固定ベルト１３でシャワー入浴者の胸部を固定し、更に足固定ベルト１０でシャワー入浴者の足を固定する。
【００２０】
そして、入浴補助者が操作レバー１７ａを操作してダンパー部材１７を作動させて、背もたれ部５を後方にリクライニングさせる。この際、背もたれ部５のリクライニングに応じてシャワー入浴者の背中が数センチ上方に引っ張られる。
【００２１】
しかしながら、本実施の形態では、リクライニングによるシャワー入浴者の背中の引っ張られを、背あてシート１２に形成されている複数の開口穴１２ａ〜１２ｆと大口径開口穴１２ｇ、特に背中の中央が接する大口径開口穴１２ｇが、リクライニングに応じて背あてシート１２の上下方向に変形することによって吸収することができる。
【００２２】
これらの開口穴（開口穴１２ａ〜１２ｆと大口径開口穴１２ｇ）が背あてシート１２の幅方向に長い穴であることによって、背あてシート１２の伸縮は、シャワー入浴者の自重により背中を沈ませる方向（背あてシート１２の表面に対して垂直方向）よりもリクライニングによるシャワー入浴者の背中の引っ張られを吸収する方向（背あてシート１２の表面に対して上下方向）に、より大きな伸縮性を有することとなる。よって、シャワー入浴者は、背あてシート１２の伸縮によって必要以上に背中を沈ませてしまうことが抑えられる。
【００２３】
これにより、背もたれ部５を後方にリクライニングさせるとき、及びリクライニング状態から背もたれ部５を前方に戻すときにおいて、シャワー入浴者の背中の引っ張られを低減することができるので、シャワー入浴者の背中が背あてシート１２表面とすれることが低減され、シャワー入浴者を快適にシャワー入浴させることができる。
【００２４】
また、背あてシート１２に複数の開口穴１２ａ〜１２ｆと大口径開口穴１２ｇを形成したことにより、これらの開口穴を通してシャワー入浴者の背中にもシャワーを十分に浴びさせることができる。
【００２５】
なお、上記した本実施の形態では、リクライニング自在な椅子としてシャワー入浴装置用車椅子を例として述べたが、本発明はこれに限定されるものではなく、リクライニング自在な椅子であれば様々な椅子に適用可能である。
【００２６】
【発明の効果】
以上説明したように本発明によれば、背もたれ部の背もたれフレームに取付けられる背あてシートを、少なくとも背あてシートの表面における回動中心軸に垂直な方向において所定の伸縮性を有する材質で形成し、かつ少なくとも着座者の背中の中央近傍が接する中央部に開口穴を形成したことにより、背あて部をリクライニングさせるときにおいて、着座者の背中の引っ張られを背あてシートの伸縮と開口穴の変形によって低減することができるので、複雑なリクライニング機構を要することなく着座者の背中が背あてシート表面とすれることが低減され、着座者に不快感を感じさせないようにすることができる。
【図面の簡単な説明】
【図１】本発明の実施の形態に係る背あてシートを備えたシャワー入浴装置用車椅子を示す斜視図。
【図２】従来例における背あてシートを備えたシャワー入浴装置用車椅子にシャワー入浴者を着座させてシャワー入浴装置内に収容した状態を示す断面図。
【図３】従来例における背あてシートを備えたシャワー入浴装置用車椅子を示す斜視図。
【符号の説明】
１        シャワー入浴装置用車椅子
２        脚部
３        着座部
４        足置き部
５        背もたれ部
１１      背あてフレーム
１２      背あてシート
１２ａ〜１２ｆ    開口穴
１２ｇ    大口径開口穴
１５、１６        肘掛け
１７      ダンパー部材
１９      回動中心軸
【図１】
2005000558.tif 000003
【図２】
2005000558.tif 000004
【図３】
2005000558.tif 000005